(57)【特許請求の範囲】
【請求項１】
キャパシティブで形成される回路部を、ポジションデータが記録されたポジショニングデータ回路部と、このポジショニングデータ回路部と対をなすデジタルデータが記録されたデジタルデータ回路部と、で直列に印刷して形成したことを特徴とするキャパシティブデータの生成方法。
【請求項２】
前記直列状に対をなして形成されるポジショニングデータ回路部とデジタルデータ回路部とを、ビット数に対応させて必要数所要間隔で印刷形成することを特徴とする請求項１に記載のキャパシティブデータの生成方法。
【請求項３】
請求項１又は請求項２のいずれかに記載のキャパシティブデータの生成方法により印刷形成される回路は、紙・プラスチック・非導電性金属体・磁気記録体・ホログラムのいずれか或はこれらを適宜組み合わせたものの表面或は裏面若しくは中間層に生成されていることを特徴とするキャパシティブデータを有する記録媒体。
【発明の詳細な説明】
【技術分野】
【０００１】
本発明は、全く新規な形態からなるキャパシティブデータの生成方法及びこれを用いた記録媒体並びにキャパシティブデータの読取装置に関する。
【背景技術】
【０００２】
従来、低価格で省エネルギーなデータカードとして、コンデンサを有する回路の一部をなすキャパシティブカードが知られている。このキャパシティブタイプのカードシステムとしては、例えば、米国パテントＮｏ．４２８０１１９や国際出願ＷＯ９５／１４２８５の明細書に記載されたカードシステムには、キャパシティブカードの回路内にヒューズを内蔵し、そのヒューズが完全な状態の場合には電流が流れる状態にあり、ヒューズが飛んだ場合には抵抗が実質上増加するため、ヒューズの抵抗の状態によってデータのビットを表すようにしたシステムが示されている。【０００３】
【特許文献１】米国特許第４２８０１１９号公報
【０００４】
【特許文献２】国際出願ＷＯ９５／１４２８５号公報
【０００５】
このキャパシティブカードは、特に図示はしないが、カード部が読み取り装置側に形成させたセンサー部と一体になって始めてコンデンサを有する回路を形成させることができるものである。【０００６】
そして、このカード部は、抵抗と、この抵抗の各端に結線接続させるコンデンサの一部を形成する電極部を有し、また、センサー部には、電源の各端子に結線接続されるコンデンサの一部を形成する電極部を有して、カード部がセンサー部にセットされたときに、各電極部間に空気を挟んだ空気コンデンサを有する回路が形成される。【０００７】
このようにして形成させた回路では、抵抗に高い電圧で電流を流すことにより焼き切ると、使用済みとなり、焼き切っていない状態が未使用のビットとなり、１つの閉回路で１ビットの信号が与えられる。このため、任意個数の閉回路を形成させることにより必要な桁数を有する信号を記憶することができるデータカードが形成できるようになる。
【発明の開示】
【発明が解決しようとする課題】
【０００８】
しかしながら、上記従来のキャパシティブデータカードにあっては、上記任意個数の閉回路を、レーザービームを照射して逐一形成しなければならないため、１枚のキャパシティブデータカードの製造が非常に煩雑で、かつ、複雑な工程で処理しなければならず、しかも、このデータカードのセキュリティを上げるためには、１枚１枚のキャパシティブデータカードの閉回路を異ならしめなければならないため、上記データカードの製造、即ち、レーザービームの照射制御が困難を極め、大量生産には不向きであることから、各種商品への汎用性がない、という課題を有していた。【０００９】
また、上記従来のキャパシティブデータカードシステムにあっては、生成されたキャパシティブデータの回路電極部とセンサーの電極部とを対峙させて空気コンデンサー回路を形成して読み取る構成であるため、例えば、６４ビットのヒューズ回路を形成する場合には、８×８の格子状回路を形成し、読み取りセンサー電極部をキャパシティブデータ領域の大きさ（８×８の格子状回路の大きさ）と略同じ大きさに形成して読み取らなければならない構造であったため、読取装置が大型化し、また、位置合わせを高精度で行なわなければならないため。構造が複雑化して高コストとなる、という問題を有していた。【００１０】
この発明は、かかる現状に鑑み創案されたものであって、その目的とするところは、レーザービームを照射することなく任意個数（ビット数）の閉回路を印刷という手段で形成することができると共に、この任意個数の閉回路を、少なくとも２個の電極で記憶媒体に形成されたキャパシティブデータを確実に読み取ることができ、位置合わせを高精度に行なう必要がなく使い勝手に優れ、読取装置を大幅に小型化しコストの大幅な低減化を図ることができる全く新規なキャパシティブデータの生成方法及びこれを用いた記録媒体並びにキャパシティブデータの読取装置を提供しようとするものである。
【課題を解決するための手段】
【００１１】
上記目的を達成するため、請求項１に記載のキャパシティブデータの生成方法にあっては、キャパシティブで形成される回路部を、ポジションデータが記録されたポジショニングデータ回路部と、このポジショニングデータ回路部と対をなすデジタルデータが記録されたデジタルデータ回路部と、で直列に印刷して形成したことを特徴とする。【００１２】
また、請求項２に記載のキャパシティブデータの生成方法にあっては、前記直列状に対をなして形成されるポジショニングデータ回路部とデジタルデータ回路部とを、ビット数に対応させて必要数所要間隔で印刷形成することを特徴とする。【００１３】
請求項３に記載のキャパシティブデータを有する記録媒体は、請求項１又は請求項２のいずれかに記載のキャパシティブデータの生成方法により印刷形成される回路を、紙・プラスチック・非導電性金属体・磁気記録体・ホログラムのいずれか或はこれらを適宜組み合わせたものの表面或は裏面若しくは中間層に生成したことを特徴とする。
【発明の効果】
【００１７】
以上説明したように、請求項１に記載の発明にあっては、キャパシティブで形成される回路部を、ポジションデータが記録されたポジショニングデータ回路部と、このポジショニングデータ回路部と対をなすデジタルデータが記録されたデジタルデータ回路部と、で直列に印刷することで、１ビットのキャパシティブデータをレーザ照射することなく印刷で簡単に生成することができると共に、従来のキャパシティブ。【００１８】
請求項２に記載の発明は、前記直列状に対をなして形成されるポジショニングデータ回路部とデジタルデータ回路部とを、ビット数に対応させて必要数所要間隔で印刷形成したので、必要情報量に対応するキャパシティブデータを容易に生成することができ、低コストで提供することができる。【００１９】
請求項３に記載の発明は、上記各キャパシティブデータを、紙・プラスチック・非導電性金属体・磁気記録体・ホログラムのいずれか或はこれらを適宜組み合わせたものの表面或は裏面若しくは中間層に生成するように構成したので、現在使用されているこの種のデータを必要とする各種記録媒体に、所望の態様で廉価に記憶させることができ、汎用性を大幅に拡大することができる。
【図面の簡単な説明】
【００２３】
【図１】この発明の実施の一実施例１に係るキャパシティブカードの表面側図である。
【図２】同キャバシティブカードの裏面側を示す図である。
【図３】同キャパシティブカードのヒューズ回路領域の回路構成ブロック図である。
【図４】同キャパシティブカードとカードリーダの関係を示す説明図である。
【符号の説明】
【００２４】
Ｃ  カード
Ｒ  読取装置
１０  磁気記憶部
１２  ヒューズ回路部
２１Ａ  ポジショニングデータ読取部
２１Ｂ  デジタルデータ読取部
３１，３１Ａ，３１Ｂ，３１Ｃ・・・・３１ｎ  ポジショニングデータ回路部
３２，３２Ａ，３２Ｂ，３２Ｃ・・・・３２ｎ  デジタルデータ回路部
【発明を実施するための最良の形態】
【００２５】
以下、添付図面に示す発明の実施の実施例１に基づき、この発明を詳細に説明する。
【実施例１】
【００２６】
図１は、この発明の実施の一実施例１に係る記憶媒体の一例であるキャパシティブデータカードＣの表面側を示しており、図２は、同カードＣの裏面側を示している。【００２７】
この実施例１に係るカードＣは、非導電材料である合成樹脂で矩形基板状に形成されており、該カードＣには、複数ビット（例えば、８ビット、１６ビット、３２ビット、６４ビット、１２８ビット等）のヒューズ回路部１２が印刷により形成されている。勿論、カードＣの材質は、プラスチックやガラス、非導電性金属或は紙等が適用可能であり、使用目的に対応させて選択される。【００２８】
これらの各カードＣのヒューズ回路部（キャパシティブ記憶部ともいう。）１２は、図３（Ａ）に示すように、当該ヒューズ回路１２の第１ビット目、第２ビット目・・・・第ｎビット目を表す電極で構成されたポジショニングデータ回路部３１Ａ，３１Ｂ，３１Ｃ・・・・３１ｎと、該ポジショニングデータ回路部３１Ａ，３１Ｂ，３１Ｃ・・・・３１ｎと対をなす電極で構成されたデジタルデータ回路部３２Ａ，３２Ｂ，３２Ｃ・・・・３２ｎ（この明細書においてｎはビットの最終番目を表す。）が直列に印刷されており、図３に示す例では、上のポジショニングデータ回路部３１Ａが第１ビット目を表し、下に向かって順に第２ビット目がポジショニングデータ回路部３１Ｂ、第３ビット目がポジショニングデータ回路部３１Ｃ、第ｎ番ビット目がポジショニングデータ回路部３１ｎという順にポジショニングデータ回路部が形成されている。勿論、図３に示す例は、その逆の特定でもよい。即ち、印刷された一番下のポジショニングデータ回路部３１ｎが第１ビット目を表し、上に向かって順に第２ビット目がポジショニングデータ回路部３１ｎ−１、第３ビット目がポジショニングデータ回路部３１ｎ−２、第ｎ番ビット目がポジショニングデータ回路部３１Ａという順にポジショニングデータ回路部を形成してもよい。
【００２９】
これら各ポジショニングデータ回路部３１及びデジタルデータ回路部３２は、図３（Ｂ）で示すように、夫々が２個の電極で形成されており、これら２個の電極は、ヒューズ部分が繋がっているときには、各電極間を自由に電流が流れ、非常に抵抗の小さい状態にあり、ヒューズが接続されていないときには、電流の流れを減少させるに充分な抵抗増加を生じる。【００３０】
このように構成されてなるヒューズ回路部１２は、当該カードＣに必要複数段、印刷されて当該カードＣのヒューズ回路（以下、ヒューズ回路１２郡という。）を形成している。【００３１】
そして、この実施例１では、カードＣに記録されるカード情報である書換えが行われない固定情報が記録される。【００３２】
この固定情報としては、「カード発行者番号」、「カード発行年月日」、「カードの額面金額」、「カードの有効期限」、「カード番号」等があり、この実施例１では、この固定情報がヒューズ回路部１２群に記録保存される。勿論、この固定情報の一部は、例えば、磁気記憶部やＩＣ記録部或はホログラム記録部が形成されている場合には、これらとの対応関係が照合できるように構成されている。即ち、例えば、上記固定情報の「カード番号」をキャパシティブデータとして記録し、かつ、このカード番号と同じ番号を磁気記憶部に記憶し、かつ、同じカード番号がカード面に刻設されて照合できるように構成することができる。【００３３】
また、この実施例１では、例えば、上記ヒューズ回路部１２群のビット（この実施例１では１２８ビット）の情報配分とすることができ、この配分例としては、例えば、カード番号「１２３４  ５６７８  ０９１２  ３４５６」の１６桁に３２〜６４ビットを配分し、パスワード「５６５６」の４桁に１６ビット、利用限度額情報に１６ビットを配分し、さらに、偽造防止のための予備ビットとして６４ビットを配分して構成することができる。【００３４】
このように配置される上記ヒューズ回路部１２群は、この実施例１では、レーザーマーキング印刷法のスキャン方式を用いて形成した。このレーザーマーキング法によれば、カードＣの一枚毎に異なるヒューズ回路形態を必要とする本発明品を、コンピュータで自動的にコントロールして簡単に製造することができる。勿論、量産する場合には、マスク式レーザーマスキング方式のほか、公知のスクリーン印刷法、ホットスタンピング法、エッチング法、熱転写法等を用いて容易に生成することができる。【００３５】
尚、本実施例１では、カード状の基板の上に形成されたヒューズ回路を、ポリエチレンフィルム等の非導電材料でオーバーコーティングして保護層を形成しており、念のため外部からヒューズ回路群が視認できないように構成されている。【００３６】
次に、上記カードＣの読取装置Ｒについて説明する。このカードＣの読取装置Ｒの入出力部は、図４に示すように、カードＣのヒューズ回路部１２群のポジショニング情報及びデジタルデータ情報を読み取るように構成されている。【００３７】
即ち、この実施例１におけるカードＣの読取装置Ｒは、ポジショニングデータ回路部３１とデジタルデータ回路部３２の電極部との間に空気コンデンサ回路を形成する読取装置側の電極部を、ポジショニングデータ読取部２１Ａと、「０」（電流が流れない状態）又は「１」（電流が流れる状態）の別を読み取るデジタルデータ読取部２１Ｂと、が上記ポジショニングデータ回路部３１とデジタルデータ回路部３２の生成状態に対応させて対をなして一列に並んだ状態で構成されている。従って、この実施例１に係る読取装置Ｒにあっては、読み取り部の構成を最小単位で形成することができ、装置を大幅に簡略化し小型化・低コスト化することができる。勿論、この発明にあっては、ポジショニングデータ読取部２１Ａとデジタルデータ読取部２１Ｂの対を、上記ポジショニングデータ回路部３１とデジタルデータ回路部３２の生成状態に対応させて複数列配置して形成してもよい。【００３８】
また、この実施例１では、上記ポジショニングデータ読取部２１Ａとデジタルデータ読取部２１Ｂを、読取装置Ｒの本体の所定箇所に固定して配置し、キャパシティブデータが複数ビット生成されている場合には、従来の磁気カードのように、カードＣを上記各読取部２１Ａ，２１Ｂの方向へとスライドさせることで、これらキャパシティブデータを読み取ることができるように構成したので、従来の磁気カードリーダーのように、読取装置Ｒを大幅に小型化・低コスト化することができる。また、上記キャパシティブデータは、公知の磁気面の上にも印刷が可能であるため、従来の磁気カードシステムとハイブリット化させて磁気データとキャパシティブデータとを夫々の読取装置でワンアクションで同時に読み取ることができ、従来の磁気カードと同様の使用形態を採用することができる。【００３９】
勿論、この発明にあっては、読取装置Ｒを実施例１のように構成せずに、ポジショニングデータ読取部２１Ａとデジタルデータ読取部２１Ｂをハンディ可能な、例えばペンタイプの本体（図示せず）に固定し、この本体をカードＣのキャパシティブデータに沿ってスライドさせ或は押し当てることで、これらキャパシティブデータを読み取ることができるように構成することもでき、この場合には、読取装置を大幅に小型化・低コスト化することができると共に、ハンディタイプに構成されているので、取扱い操作性が良好となる、という効果が得られる。【００４０】
また、この実施例１では、上記読取装置Ｒに、例えば、磁気記憶領域の情報を読み取る磁気データ読取部を並設することができる。勿論、読取装置をキャパシティブデータ読取専用装置と磁気データ読取専用装置とを別体で形成し、一方の読取専用装置でデータを読み取った後、もう一方の読取専用装置でデータを読み取り、照合するように構成してもよい。【００４１】
このように構成することができる本発明に係るカードＣに構成例としては、例えば、プリペイドカード等のように、基板上の表面側または裏面側に、ヒューズ回路群（キャパシティブ領域）と磁気記憶部及び印刷面を順に積層印刷して構成することができる。また、例えば銀行カードやクレジットカード或はギフトカード等に用いられるストライプタイプのように、基板の印刷面に、ストライプ状の磁気記憶部とヒューズ回路部（ヒューズ領域）を印刷形成して構成することもできる。さらに、例えば、リライタブル可能なプリペイドカード等のように、一方の印刷面に本発明に係るヒューズ回路部（ヒューズ領域）を、他方の印刷面にリライタブル面を形成し、この他方の印刷面の裏面側に磁気記憶部を形成して構成することもできる。【００４２】
勿論、この発明の適用例はこれに限定されるものではなく、上記磁気記憶領域に代えて、商品情報、例えば、ギフトカードに当該ギフトカード番号等のバーコードを印刷したものにヒューズ回路を併用し、或はホログラム或はＩＣチップ若しくはマイクロチップと併用させることもできる。【００４３】
このように構成されてなるカードＣの適用可能な具体的な商品としては、偽造・変造防止が絶対的条件である、例えば、銀行カードやクレジットカード、プリペイドカード、テレフォンカード、商品券、ギフトカード或は図書券に適用することができる他、ＣＤやＤＶＤ等のコピー防止手段として用いることができる。【００４４】
また、この発明に係るキャパシティブデータ保存方法を用いれば、インターネットの認証カードにも簡単に応用することができ、偽造も非常に困難であるため、電子決済等の安全性を非常に高いセキュリティで保護することが可能となる、という効果が得られる。
【図１】
0004665198.tif 000002
【図２】
0004665198.tif 000003
【図３】
0004665198.tif 000004
【図４】
0004665198.tif 000005